(57)【要約】非ＨＳＤＰＡセル内の１以上の基地局でノイズを１以上のユーザ装置からのアップリンク信号に導入する方法及び装置が開示される。その結果、それらのセルのアップリンクチャネルの見かけ上の品質がそのチャネルの実際の品質よりも低くなる。従って、基地局からユーザ装置に発行される電力制御指令はこの低い推定チャネル品質を反映し、その結果、ユーザ装置はＨＳＤＰＡセルにおける基地局からの電力制御指令に追従する。従って、ユーザ装置の送信電力はＨＳＤＰＡセル内の基地局との通信に充分な状態を維持し、その結果、ＨＳＤＰＡセルにおけるＵＬ及びＤＬは同期が維持される。
2009539319.tif 000002
【特許請求の範囲】
【請求項１】
無線セルラネットワークで使用する方法であって、
前記ネットワーク内のセルの基地局で第１のアップリンク信号をユーザ装置からアップリンクチャネルを介して受信するステップ、
前記セルにおけるダウンリンクチャネルの所望の電力に関連してノイズ信号を発生するステップ、及び
第２のアップリンク信号を生成するために前記ノイズ信号を前記第１のアップリンク信号に印加するステップ
からなる方法。
【請求項２】
請求項１の方法であって、さらに、
第１の復号アップリンク信号を生成するために前記第１のアップリンク信号を復号するステップ、及び
前記第１の復号アップリンク信号を前記基地局に関連する無線ネットワークコントローラに送信するステップ
からなる方法。
【請求項３】
請求項２の方法であって、さらに、
前記セルにおけるチャネルの品質を表す少なくとも１つのパラメータを発生するステップ
からなる方法。
【請求項４】
請求項３の方法において、前記少なくとも１つのパラメータを発生するステップが、
前記第１のアップリンク信号に関連してパラメータの第１の値を発生するステップ、及び
前記第２のアップリンク信号に関連して前記パラメータの第２の値を発生するステップ
からなる方法。
【請求項５】
請求項４の方法であって、さらに、
前記パラメータの第１の値及び前記パラメータの第２の値を無線ネットワークコントローラに送信するステップ
からなる方法。
【請求項６】
無線セルラネットワークで使用する装置であって、
前記ネットワーク内のセルの基地局で第１のアップリンク信号をユーザ装置からアップリンクチャネルを介して受信するための手段、
前記セルにおけるダウンリンクチャネルの所望の電力に関連してノイズ信号を発生するための手段、及び
第２のアップリンク信号を生成するために前記ノイズ信号を前記第１のアップリンク信号に印加するための手段
からなる装置。
【請求項７】
請求項６の装置であって、さらに、
第１の復号アップリンク信号を生成するために前記第１のアップリンク信号を復号するための手段、及び
前記第１の復号アップリンク信号を前記基地局に関連する無線ネットワークコントローラに送信するための手段
からなる装置。
【請求項８】
請求項７の装置であって、さらに、
前記セルにおけるチャネルの品質を表す少なくとも１つのパラメータを発生するための手段
からなる装置。
【請求項９】
請求項８の装置において、前記少なくとも１つのパラメータを発生する手段が、
前記第１のアップリンク信号に関連してパラメータの第１の値を発生するための手段、及び
前記第２のアップリンク信号に関連して前記パラメータの第２の値を発生する手段
からなる装置。
【請求項１０】
請求項９の装置であって、さらに、
前記パラメータの第１の値及び前記パラメータの第２の値を無線ネットワークコントローラに送信するための手段
からなる装置。
【発明の詳細な説明】
【技術分野】
【０００１】
本発明は概略として移動体通信に関し、より具体的には、高速ダウンリンクチャネルを利用する移動体通信システムに関する。
【背景技術】
【０００２】
従来の移動体電話サービスは、アップリンク（即ち、ユーザから基地局への送信）及びダウンリンク（即ち、基地局からユーザへの送信）双方の帯域幅要件が同じであるので、利用できる帯域幅の使用において基本的に対称なものとなる。しかし、データ指向の移動体サービスがより一般的となるにつれて、多くのそのようなサービスはアップリンクよりもダウンリンクに対して非常に多くの帯域幅を必要とするようになった。この増大したダウンリンク帯域幅要件に対処するために、様々な手法が開発されてきた。高速ダウンリンクパケットアクセス（ＨＳＤＰＡ）として知られる１つのそのような手法は、広帯域符号分割多重アクセス（ＷＣＤＭＡ）を用いるユニバーサル移動体通信システム（ＵＭＴＳ）のような第３世代（３Ｇ）パートナーシッププロジェクト組織（３ＧＰＰ）移動体通信システムに対する改善されたダウンリンクパケットデータの手法である。当業者であれば分かるように、３ＧＰＰは、ＵＭＴＳ及びＷＣＤＭＡ標準のような、現在及び将来の移動体通信システムの多数の３Ｇ仕様に対する標準化団体である。さらに、当業者であれば分かるように、ＨＳＤＰＡは既存の３Ｇシステムのアップグレード版であり、容量を向上し、アップグレードされていない３Ｇシステムと比べて高速なデータ転送レートをもたらすものである。
【０００３】
ＨＳＤＰＡはそのような転送レートの改善を新たな共有及び専用チャネルをダウンリンク及びアップリンクに与えることによって促進する。図１は、例えば、無線基地局１０２（ここではノードＢという）とユーザ装置１０１（ここではユーザ機器（ＵＥ）という）の間のこれらの新たな共有チャネル１０４及び専用チャネル１０３を示す。特に、当技術及びここでは高速物理ダウンリンク共有チャネル（ＨＳ−ＰＤＳＣＨ）１０８と言われる広帯域ダウンリンク共有チャネルは、セル内の全ユーザ間での共有チャネルであり、非常に高速なデータ転送のために最適化される。従来のシステムは標準的には最大２Ｍｂ／ｓに制限されていたが、ＨＳ−ＰＤＳＣＨ１０８は１４.４Ｍｂ／ｓの最大論理ダウンリンク速度を与えることができる。ＨＳ−ＰＤＳＣＨチャネルに加えて、ここでは高速共有制御チャネル（ＨＳ−ＳＣＣＨ）１０７であるＨＳＤＰＡも新たな制御チャネルを利用する。この制御チャネルは、例えば、ＲＮＣ１０９から受信したパラメータ等の種々の制御パラメータをノードＢからＵＥへ送信するように機能する。アップリンク方向において、ＨＳＤＰＡは、データパケット肯定応答／否定応答（ＡＣＫ／ＮＡＣＫ）及びチャネル品質情報（ＣＱＩ）をＵＥからノードＢへ送信するために、ここでは高速専用物理制御チャネル（ＨＳ−ＤＰＣＣＨ）１０５となる低い帯域幅アップリンクチャネルを使用する。当業者であれば、これらのＨＳＤＰＡチャネルが従来の３Ｇシステムをアップグレードするために使用され、それゆえ、他のアップリンク及びダウンリンクチャネルも、図１に示すアップリンクＤＣＨ及びダウンリンクＤＣＨ１０６のチャネルのような低いデータレートの通信を提供し得ることを認識するはずである。当業者であれば、ある特定のＵＥに対して、所与のエリア内のいくつかのセルの１つのみがＨＳＤＰＡサービングセルとなる（即ち、ＨＳＤＰＡサービスを提供する能力を持つ）ように、そのようなＨＳＤＰＡセルが標準的に配備されることを理解するはずである。従って、標準的な構成において、ある特定のＵＥに対するＨＳＤＰＡセルは他のセルに対する非ＨＳＤＰＡ無線リンクによって囲まれることになる。
【０００４】
従って、ＨＳＤＰＡは極めて有利であるが、従来のＨＳＤＰＡの実施における１つの制限は、特定のＵＥからのアップリンク信号が、ダウンリンク送信がそのＵＥに対してスケジューリングされるよう、高速ダウンリンクチャネルと同期されなければならないことである。しかし、場合によっては、例えば同一又は隣接するセルからの他のユーザの信号から発生する干渉によって、アップリンクＣＱＩ及びＡＣＫ／ＮＡＣＫ情報がＨＳＤＰＡサービングセル内のＵＥから受信されることが妨げられ、それゆえ、ダウンリンク送信がそのＵＥにスケジューリングされることが妨げられる。当業者であれば分かるように、この情報がＵＥから受信されないと、ＵＬチャネルとＤＬチャネル間の同期は失われ、その結果、ＨＳＤＰＡのノードＢからＵＥへの送信がされなくなる。これによって、サービスの損失、ＵＥとノードＢ間の無線リンクの消滅、又は場合によっては廃棄呼が生じてしまう。これまでのところ、このタイプの干渉を低減するための最も普及した従来的方法は、アップリンクとダウンリンクのカバレッジの均衡をとるために特定のセルのダウンリンクＣＰＩＣＨ電力を低減することである。
【発明の開示】
【課題を解決するための手段】
【０００５】
本発明者は、特定のセルのダウンリンクＣＰＩＣＨ電力を低減することがセル間のダウンリンク干渉を減らすことにおいて有利ではあるが、ある観点においては不利でもあることを認識した。特に、本発明者は、そのようなＣＰＩＣＨ電力の低減が現実にはアップリンクＨＳＤＰＡチャネルとダウンリンクＨＳＤＰＡチャネル間の同期の喪失を増加させることを認識した。より具体的には後述するように、本発明者は、たとえセル間の干渉が低減されても、ＵＥの送信電力を統制するアップリンク（ＵＬ）電力制御アルゴリズムを支配するように非ＨＳＤＰＡセルが選択され、そのようなＣＰＩＣＨ電力の低下がソフトハンドオーバー（ＳＨＯ）アルゴリズムに影響を及ぼしてしまうことを認識した。その結果、ＵＥ送信電力はＨＳＤＰＡサービングセルのノードＢでの信頼性のある受信に必要な電力以下に低減されてしまい、それゆえノードＢでは再度ＵＬチャネルとダウンリンク（ＤＬ）チャネル間の同期の喪失がもたらされてしまう。
【０００６】
本発明の原理によると、上記の同期及び潜在的なサービスの消失の問題が本質的に解決される。特に、本発明者は、ノイズを１以上のユーザ装置から非ＨＳＤＰＡ基地局へのアップリンク信号に導入することによって、それらのセルにおけるアップリンクセルの見かけ上の品質が現実の品質よりも低くなるように見えることを認識した。従って、非ＨＳＤＰＡ基地局からユーザ装置に発行した電力制御指令はこの低い推定チャネル品質を反映し、その結果として、ユーザ装置はＨＳＤＰＡセル内の基地局からの電力制御指令に従うことになる。従って、ＨＳＤＰＡセルにおけるＵＬ及びＤＬは同期を維持することになる。
【０００７】
本発明の第１の実施例によると、基地局でユーザ装置からアップリンク信号が受信され、セル内のダウンリンクチャネルの所望の電力の関連でノイズ信号が発生され、そのノイズ信号がアップリンク信号に印加される。そのセル内のダウンリンクチャネルの品質の表示であるノイズ信号をアップリンク信号に印加した後に第１のパラメータが生成される。特に、第１のパラメータはチャネルの品質推定値であってもよい。代替的に、第１のパラメータは基地局からユーザ装置に送信されることができるトランスポートブロックのサイズの推定値であってもよい。
【０００８】
本発明の第２の実施例によると、第１のパラメータは基地局で生成され、そのネットワーク内で無線ネットワークコントローラ（ＲＮＣ）に送信され、それに応じて電力制御指令がＲＮＣから受信される。これらの電力制御指令は、必要であれば、ユーザ装置の送信電力を調整するための指令をユーザ装置に発行するために基地局によって使用される。
【０００９】
本発明のこれら及び他の有利な効果は、以下の詳細な説明及び添付図面を参照すれば当業者には明らかなものとなる。
【発明を実施するための最良の形態】
【００１０】
当業者であれば、ソフトハンドオーバー（ＳＨＯ）は、ＵＭＴＳシステムのようなＷＣＤＭＡエアインターフェイスを用いるシステムにおいて重要な要素であることが分かるはずである。上述したように、そのようなネットワークにおいて、各セルはパイロット信号をＣＰＩＣＨチャネル上で送信する。これらのパイロット信号はネットワーク内のセルを互いに区別するために使用され、通常は一定の電力で各々送信される。ＵＥは異なるセルに関するその地理的位置に依存して複数のパイロット信号を受信する。この場合、各パイロット信号の受信信号対ノイズ比がＵＥとノードＢ間の無線チャネルの品質の表示としてＵＥによって使用される。ノードＢに対応する特定のパイロット信号の品質が指定しきい値より大きい場合、そのパイロット信号に対応する特定のセルはＳＨＯが実行されるセルのアクティブセット（ＡＳ）に追加される。
【００１１】
特定のＵＥからの受信ＵＬ信号対干渉比（ＳＩＲ）にある程度基づいて、ＡＳにおける各ノードＢは送信電力制御（ＴＰＣ）指令をそのＵＥに送信する。これらのＴＰＣは、ＵＥがそのＵＬ送信電力をノードＢでの受信ＵＬ信号特性に基づいて上下に調整するよう指示する指令である。ＵＥがこれらのＴＰＣ指令を複数のノードＢから受信すると、（３ＧＰＰ仕様番号２５．２１４に準拠するアルゴリズムのような）公知のアルゴリズムが使用されてＵＥのＵＬ電力が確実に最適に設定されるようにＴＰＣを選択する。当業者であれば、そのような最適な電力を決定する際に、通常はそのようなアルゴリズムが、ＵＬ電力を下げるためのＴＰＣ指令を発行するノードＢに優先的扱いを与えることを知っているはずである。これは隣接セルとの干渉を低減するために望ましい。
【００１２】
しかし、多くのシステムにおいて、ＳＨＯ目的のためにＡＳに対してセルを追加又は廃棄する決定は、そのセルのノードＢからのＵＥにおける受信ＤＬ品質に基づく。再度、このＤＬ品質はセルのＣＰＩＣＨの信号対ノイズ比によって主に決定される。従って、異なるセルの異なるＤＬ・ＣＰＩＣＨ電力レベルのために、そのようなシステムにおいては、ＨＳＤＰＡサービングセルよりも低いＣＰＩＣＨ電力の非ＨＳＤＰＡセルがＡＳに追加されることが可能となる。この場合、非ＨＳＤＰＡセルのＤＬチャネルがＨＳＤＰＡサービングセルのＤＬチャネルよりも良い品質（より良い経路損失特性及びより低い必要送信電力によって示される）を有している場合、上述のように、非ＨＳＤＰＡセルがＵＬ電力制御を決定するように使用される。そのような非ＨＳＤＰＡセル電力制御はＨＳＤＰＡセービングセル上の、所望のものよりも低いＵＬ・ＨＳ−ＤＰＣＣＨチャネル電力をもたらし、従って、そのＵＬ信号は信頼性を持って受信されず、又はＨＳＤＰＡのＤＬチャネルとの同期から完全に外れてしまうことになる。
【００１３】
１つの説明用の例において、ＵＬチャネル上でのＵＥからの信頼性ある受信に６ｄＢのＳＩＲが必要であるとする。さらに、この例では、０ｄＢのＵＬ・ＳＩＲで、ＵＬチャネルとＤＬチャネルの同期は完全に失われるものとする。また、この例では、電力セルのＣＰＩＣＨが現在の最低電力を持つセルよりも２ｄＢ低いとＳＨＯの追加が起こる。説明のＨＳＤＰＡサービングセルにおいて、パイロットＣＰＩＣＨ信号電力が３６ｄＢｍ、ＵＬノイズフロアが−１００ｄＢｍ、経路損失（即ち、両方向での中空を介した送信中に信号が受ける減衰量）が１００ｄＢである。従って、ＵＥ受信のＣＰＩＣＨ（１００ｄＢ経路損失による）は−６４ｄＢｍである。ＵＥの送信電力はＨＳＤＰＡサービングセルによって６ｄＢｍに設定される。ここで、非ＨＳＤＰＡセルは２６ｄＢｍのＣＰＩＣＨ電力及び−１００ｄＢのＵＬノイズフロアを有するものとする。非ＨＳＤＰＡセルの経路損失が９２ｄＢだけだとすると、ＵＥ受信のＣＰＩＣＨは−６６ｄＢｍ（即ち、ＣＰＩＣＨ２６ｄＢｍ−経路損失９２ｄＢ）である。従って、非ＨＳＤＰＡセルのＣＰＩＣＨはＨＳＤＰＡセルよりも２ｄＢ低く、その結果、経路損失９２ｄＢにおいて、必要ＵＥ送信電力は−２ｄＢであるから非ＨＳＤＰＡセルがＵＥのＵＬの電力を支配・制御することになる。この場合、非ＨＳＤＰＡセルはＵＥに対してその送信電力を−２ｄＢｍに低減するように指示する。ＵＥが−２ｄＢｍで送信すれば、（経路損失１００ｄＢ、ノイズフロア−１００ｄＢｍの）ＨＳＤＰＡサービングセルで受信されるＵＬのＳＩＲ全体は−２ｄＢとなる。このＳＩＲ値はＨＳＤＰＡのＤＬチャネルとの同期を維持するために必要な０ｄＢのＵＬの値以下であるから、ＨＳＤＰＡセルは同期を外れてしまい、上述の問題に陥ってしまう。これは本明細書ではＵＬ／ＤＬ不均衡という。
【００１４】
そのような非ＨＳＤＰＡセルの電力制御はＵＬ／ＤＬ不均衡が起こる１つの理由となるが、他の要素もそのような不均衡をもたらし、又はより悪化させる。例えば、異なるノードＢでの異なるＵＬチャネルノイズ、タワーアンテナ上の低ノイズ増幅器（ＬＮＡ）の異なる物理的な幾何学的配列、及びＵＬ受信経路とＤＬ送信経路間の差（例えば、異なるダイバーシティ送信／受信方法によるもの）は全て、ＨＳＤＰＡセルにおけるＵＬチャネルとＤＬチャネル間の不均衡をもたらし、又は増大させる要素となる。
【００１５】
本発明の原理によると、ＨＳＤＰＡサービングセルにおけるＵＬとＤＬ間の不均衡は、各非ＨＳＤＰＡセル内のＵＥからノードＢで受信したＵＬ信号にデジタルノイズを導入することによって、つまり意図的にアップリンクチャネルでノイズを増加させることによって、軽減又は除去される。これは逆に、対応するノードＢによって計算されるときに、非ＨＳＤＰＡセル内のＵＬチャネルにおける信頼性ある信号を得るのに必要なＳＩＲを増加させる。上記の例で説明したように、これは非ＨＳＤＰＡセル内のノードＢが高速ＨＳＤＰＡのＤＬチャネルにおけるＵＥの受信データの電力を制御することを防止する。説明すると、ＵＬチャネルに付加されたノイズはノードＢのソフトウェア内のデジタルノイズ源によって発生され、ＵＥから受信したデータにノードＢによって印加される。復号された（信号に品質に関連する種々のパラメータを含む）ＵＬ信号は、電力制御及びフレーム選択機能の実行に使用するために無線ネットワークコントローラ（ＲＮＣ）に送信される。当業者であれば、ＲＮＣは、ＲＮＣに関連するいくつかのノードＢにわたって上記の電力制御及びフレーム選択機能のような種々の公知のネットワーク機能を実行する無線ネットワークの公知の部材であることが分かるはずである。
【００１６】
図２はノードＢからＲＮＣ送信される例示のフレームを示す。具体的には、フレーム２０１は例示のヘッダフィールド２０２及びペイロードフィールド２０３を有する。そのようなフレームは本技術では周知であり、例えば３ＧＰＰ仕様番号２５.４２７について上述した。このように、フレーム２０１については、本発明の原理の理解に必要となるもの以外についてはこれ以上記述しない。フレーム２０１はＵＥから受信したＵＬデータを複数のトランスポートブロック（ＴＢ）２０４で搬送する。当業者であれば上述の点から分かるように、これらのＴＢのサイズはＲＮＣからＵＥに送信された送信パラメータによって決定される。フレーム２０１のペイロードフィールド２０３も各ＴＢ及び品質推定値（ＱＥ）２０５に関連するサイクリック冗長チェック情報（ＣＲＣＩ）２０６を搬送する。この情報はＲＮＣに送信されるＴＢ情報の正確性を証明するために使用される。
【００１７】
従って、上述のように、ノイズをＵＬ信号に付加することによってＵＬチャネルのノイズが増加する場合、データフレーム内のＴＢに関連するＣＲＣＩ及びＱＥの値は変化する。従って、ＵＬ信号が復号されると、ＣＲＣＩ及びＱＥ情報は増加されたノイズを反映する。図３は、デジタルノイズをＵＥから受信されたＵＬ信号に挿入することによって図２のフレーム２０１のようなフレームが適切なＲＮＣへの送信のために生成される例示のノードＢを示す。図３によると、ＵＬ信号がアンテナ３０１でＵＥから受信されるとき、その信号は、ＤＬチャネルにおいて正しく受信され得るＴＢのサイズ、変調タイプ及び並列コードの番号を示すチャネル品質情報を含む。この信号は、例えば、ＬＮＡ３０２によって増幅され、ノードＢの送受信機３０３に伝達される。本発明の原理によると、その後送受信機３０３は信号を２つの同一の信号に分波し、これらの分波された信号の１つを、その信号（以下、クリーン信号という）が復号及び復調されるＵＬ逆拡散器／復調器３０４に経路３１０に沿って送られる。その後ノードＢ３００はそのチャネルに関連する対応のＣＲＣＩ及び品質推定値（ＱＥ）を生成する。ノードＢがＨＳＤＰＡサービングセルを含むとき、ノードＢは受信アップリンク情報を用いて、それに従ってダウンリンク送信に対するＴＢのサイズ、変調タイプ及び並列コード数を調整する。ノードＢはまた、他の分波信号をノードＢ送受信機３０３から経路３２０に沿ってＵＬ逆拡散器／復調器３０６に送る。しかし、ＵＬ逆拡散器／復調器３０６に到達する前に、所定量のノイズがノイズ発生器３０５によって生成され、信号化される（以下、ノイズ付加信号という）。このノイズは、例えば、測定機器で用いるような純粋物理学的なノイズ発生器によって、又は例えば、デジタル信号プロセッサ（ＤＳＰ）でデジタル的に発生されるノイズ信号によって発生できる。従って、結果として得られる復号及び復調されたノイズ付加信号はより多くのノイズを含み、その結果、ノードＢ３００はこの経路上で異なるＣＲＣＩ及びＱＥを計算することになる。
【００１８】
上記パラメータ（ＣＲＣＩ、ＱＥ等）がノードＢによってクリーン信号及びノイズ付加ＵＬ信号双方について計算されると、その情報はフレーミングプロトコル組立て機能３０７に送信される。機能３０７はＲＮＣへの送信のためにこの情報を含む１以上のフレームを生成する。そのようなフレームを図４に示す。図によると、図２のフレームと同様に、図４のフレーム４０１はヘッダ部分４０２及びペイロード部分４０３を有する。再度になるが、ペイロード部分４０３はＴＢ４０４を含む。しかし、ここではペイロード部分４０３は、ノイズのない情報であるＱＥ情報４０７及びＣＲＣＩ情報４０８についてのフィールドと同様に、上述のようにノイズが導入されて生成されたＱＥ情報４０５及びＣＲＣＩ情報４０６についてのフィールドを含む。このフレームが生成されると、図３のノードＢ３００はフレームをＲＮＣに送信する。
【００１９】
図５に本発明による例示的ＲＮＣを示す。図を参照すると、ＲＮＣ５００は上記のフレームをＨＳＤＰＡセル及び非ＨＳＤＰＡセル双方から受信する。再度になるが、これらのフレームは、ノードＢによって付加されたノイズがないＣＲＣＩ及びＱＥ情報だけでなく、そのようなノイズの存在下のＣＲＣＩ及びＱＥ情報を含む。ＲＮＣは、例えば、そのようなノイズなしに生成されたＣＲＣＩ及びＱＥ情報を用いて電力制御に関係のない機能を実行することもできる。例えば、この情報は経路５１０に沿って、当業者であれば分かるように、どのＵＬフレームが送信のために選択され、どのＵＬフレームが廃棄されたかを特定するＵＬフレーム選択器５０２によって使用される。フレームが選択されると、無線リンクコントローラ（ＲＬＣ）５０３はリンク層で何らかの必要な誤り回復を実行する。当業者であれば分かるように、これらのフレーム選択及び誤り回復のために人工的ノイズの存在下で生成されたＣＲＣＩ及びＱＥ情報を用いることは、これが受信データの現実の品質を反映しないので、上記機能の有効性を意に反して歪め得る。
【００２０】
ＲＮＣ５００は、図５の経路５２０に沿って情報を処理してノイズを付加することによって生成されたＣＲＣ及びＱＥ情報を使用して、ノードＢへのＵＬ・ＳＩＲ電力制御ガイダンスを発行する。特に、フレーム内のＣＲＣＩ値及びＱＥ情報に基づいて、ＲＮＣはＵＬによって使用されるＳＩＲ目標を修正する。それは、図５の電力制御及びＳＩＲ上昇／低下機能５０５及び５０６によって生成され、ノードＢに送信される電力制御フレームに新たなＳＩＲ目標の絶対値を含めることによってなされる。その後、このＳＩＲ目標を特定のＵＥからの受信ＵＬ・ＳＩＲと比較することによって、ＡＳにおける各ノードＢはＴＰＣ指令をそのＵＥに送信することができる。
【００２１】
本発明の実施例によると、上述のＳＨＯ処理の例が適用されて、ノードＢでのＵＬ信号へのノイズの挿入がどのようにしてＵＬ／ＤＬ不均衡の問題を防止できるのかを反映する。特に、再度になるが、６ｄＢのＳＩＲがＵＥからのＵＬチャネル上での信頼性ある受信のために必要であるとする。さらに、この例では、０ｄＢのＵＬ電力においてＵＬチャネルとＤＬチャネルとの同期は完全に失われる。また、この例では、ＳＨＯの追加はセルのＣＰＩＣＨが現在の最小電力を有するセルよりも電力が２ｄＢ低いときに発生する。例示のＨＳＤＰＡサービングセルにおいて、パイロットＣＰＩＣＨ信号の電力は３６ｄＢｍであり、ＵＬノイズフロアは−１００ｄＢｍ、経路損失は１００ｄＢである。従って、ＵＥが受信するＣＰＩＣＨは（１００ｄＢの経路損失のために）−６４ｄＢｍである。ＵＥ送信電力はＨＳＤＰＡサービングセルによって６ｄＢｍに設定される。ここで、非ＨＳＤＰＡセルが２６ｄＢｍのＣＰＩＣＨ電力及び−１００ｄＢｍのＵＬノイズフロアを有するとする。さらに、図３のノードＢのノイズ発生器３０５は復号／復調の前に１０ｄＢのノイズフロア上昇を信号に挿入するものとする。非ＨＳＤＰＡセルの経路損失が９２ｄＢだけの場合、ＵＥの受信するＣＰＩＣＨは−６６ｄＢとなる（即ち、ＣＰＩＣＨ電力２６ｄＢｍ−経路損失９２ｄＢ）。しかし、この例では、必要ＵＥ送信電力は８ｄＢｍとなる（−ノイズフロア１００ｄＢｍ＋ノイズ発生器からの１０ｄＢ＋経路損失９２ｄＢ＋必要ＵＬ・ＳＩＲ６ｄＢ）。従って、ＨＳＤＰＡの必要送信電力は非ＨＳＤＰＡセルのものよりも低く、その結果、（一般に低い方の電力レベルの指令が優先されるので）ＨＳＤＰＡセルはＵＥ・ＵＬの電力を支配・制御する。従って、ＨＳＤＰＡのＵＬはＨＳＤＰＡのＤＬと同期を維持する。
【００２２】
当業者であれば、上記を参照して、上述の手順のバリエーションが実施され得ることが分かるはずである。例えば、当業者であれば、ノイズ不在時、即ち、それぞれ図３のノードＢの経路３１０がなくＲＮＣに経路５１０がない場合に、ＲＮＣでのＳＩＲ上昇／低下指令を決定するためのアルゴリズムが信号を復号することなしに適用されることが分かるはずである。さらに、ＣＲＣＩ値におけるノイズの発生及び効果はノイズ発生器３０５によって実際に適用されるのではなく、推定されるものとなる。この場合、いくらか集中的な計算を犠牲に、ノイズ発生器は不要となる。また、各ノードＢでのＵＬ目標ノイズレベルは、検出された不均衡との関連としてより直接的に、例えば他のノードＢに対するＨＳＤＰＡセルのＣＰＩＣＨ電力レベルに設定され得る。簡単な実現例としては、注入されたノイズレベルがＨＳＤＰＡセルと非ＨＳＤＰＡセル間のＣＰＩＣＨ電力差に比例するようにする。当業者であれば分かるように、これは上記の例の自動化した実現例であり、１０ｄＢの追加ノイズが単にＨＳＤＰＡセルのＣＰＩＣＨ電力（＋３６ｄＢｍ）と非ＨＳＤＰＡセルのＣＰＩＣＨ電力（＋２６ｄＢｍ）の差によって与えられる。さらに、当業者であれば、上記の方法が同様の有利な結果をもって、ある無線リンクだけに適用され、全ての無線リンクには適用されないことが分かるはずである。最後に、上記のアルゴリズムにおける計算の増大した複雑さの可能性のために、選択的にノードＢが最大容量にないときだけ使用されるようにしてもよい。上記説明から他のバリエーションも当業者には容易に分かる。
【００２３】
図６に本発明の実施例による例示的ノードＢ及び例示的ＲＮＣの動作方法のステップを示す。まず、ステップ６０１において、所望のＣＰＩＣＨ電力レベルが１以上のチャネルにおいて決定される。上述のように、このＣＰＩＣＨ電力レベルは他のセルとのＤＬ干渉を低減するレベルに設定されるべきであるが、同時に、充分なＤＬ品質を与える。次に、ステップ６０２において、ノードＢによってＵＥからＵＬ信号が受信される。その後、ステップ６０３において、ノードＢ内でノイズが所望のＣＰＩＣＨ電力レベルに関連して発生される。ステップ６０４において、そのノイズがＵＬ信号に印加され、ステップ６０５において、ノイズが付加されたＵＬ信号に関連してＣＲＣＩ及びＱＥが生成される。この情報を含むフレームが生成され、ステップ６０６において、これらのフレームがＲＮＣへ送信される。その後、ステップ６０７において、ＲＮＣによって１以上のノードＢに対する電力制御指令が決定され、ステップ６０８において、これらの指令がそれぞれのノードＢに送信される。最後に、ステップ６０９において、電力制御指令に応じてＵＬのＳＩＲ目標が調整され、ステップ６１０において、それらのＳＩＲ目標に従ってＵＬ送信電力を調整するための指令がＵＥに送信される。
【００２４】
図７に、上記のように、ノイズをＵＥからのＵＬ信号に付加するために使用されるアルゴリズムのステップを実行するように、及び／又はＵＬ／ＤＬチャネル不均衡を低減するためにノードＢ若しくはＲＮＣで電力制御計算を実行するように適合した例示的システムのブロック図を示す。図７を参照すると、コンピュータ７０７は、前述の電力制御及びノイズ情報に関連するデータのようなデータを受信し、記憶し、及び送信するように適合した適切なコンピュータ上に実装される。例示的システム７０７は、例えば、システム７０７の動作全体を制御するプロセッサ７０２（又は複数のプロセッサ）を有する。そのような動作はメモリ７０３に記憶されたコンピュータプログラムのインストラクションによって規定され、プロセッサ７０２によって実行される。メモリ７０３は、限定するわけではないが、電子的、電磁的又は光学的媒体等のあらゆるタイプのコンピュータ可読媒体であればよい。さらに、図７には１つのメモリユニット７０３を示したが、メモリユニット７０３は複数のメモリユニットからなっていてもよく、そのようなメモリユニットがあらゆるタイプのメモリからなっていてもよいことが分かるはずである。システム７０７はまた、数ある機能の中でもとりわけ、チャネル品質情報及びノイズパラメータを受信する際に使用する例示的ネットワークインターフェイス７０４を備える。システム７０７はまた、例えば、上述の本発明の原理に従った使用に適合されたデータやコンピュータプログラムを記憶するためのコンピュータハードディスクドライブ７０５のような記憶媒体を備えていてもよい。当業者であれば、ハードディスクドライブ７０５の代わりの何らかの実装としてフラッシュメモリが好適に使用できることが分かるはずである。最後に、システム７０７はまた、例えば、情報を入力するとともに上記の計算の結果を表示するキーボード７０８及びモニタ７０９を有する端末７０６を有していてもよい。当業者であれば、システム７０７はその性質上単なる例示であり、コンピュータで様々なハードウェア及びソフトウェア部材が同様の有用な使用のために本発明の原理に従って適用されることが分かるはずである。
【００２５】
以上の詳細な説明は各事項についての説明及び例示として理解されるべきであり、限定的なものではない。ここに開示される本発明は詳細な説明からではなく、特許法によって許可される全範囲に従って解釈される特許請求の範囲から特定される。ここに図示及び記載された実施例は本発明の原理の例示説明にすぎず、当業者によって種々の変形例が本発明の範囲と精神から離れることなく実施され得る。当業者であれば本発明の範囲と精神から離れることなく種々の他の構成の組合せを実施し得る。
【図面の簡単な説明】
【００２６】
【図１】図１はユーザ機器（ＵＥ）とノードＢの間のＨＳＤＰＡチャネルを示す図である。
【図２】図２はノードＢから無線ネットワークコントローラ（ＲＮＣ）に送信された従来のデータフレームを示す図である。
【図３】図３は本発明の実施例によるノードＢを示す図である。
【図４】図４は図３のノードＢから本発明の実施例によるＲＮＣに送信されるデータフレームを示す図である。
【図５】図５は本発明の実施例によるＲＮＣを示す図である。
【図６】図６は本発明の実施例による方法を示すフローチャートである。
【図７】図７は本発明の実施例で使用するために適合されたコンピュータのブロック図である。
【図１】
2009539319.tif 000003
【図２】
2009539319.tif 000004
【図３】
2009539319.tif 000005
【図４】
2009539319.tif 000006
【図５】
2009539319.tif 000007
【図６】
2009539319.tif 000008
【図７】
2009539319.tif 000009
【国際調査報告】
2009539319.tif 000010
2009539319.tif 000011
2009539319.tif 000012